(57)【要約】  複数の電極接続部が隣接する電極接続部間に抵抗（Ｒ１，Ｒ３，Ｒ５）を介して直列に接続された電極回路と、前記電極回路の両端及び少なくとも１つの中間位置にそれぞれ接続された、正負両極性の電圧を出力する電源（Ｐ１、Ｐ２，Ｐ３，Ｐ４）とを有する電圧印加装置を用いて前記電極接続部に接続された電極（２４３，２４６，２４４Ａ，２４４Ｂ、２４７）に電圧を印加する際に、前記電極に所定の極性及び大きさの電圧が印加されるように、複数の前記電源のそれぞれの出力電圧の極性及び大きさを決定し、前記複数の電源の出力電圧の極性に基づき、該複数の電源のうち少なくとも１つの電源Ｐの出力電圧の極性が他と異なる状態を維持して前記複数の電源の出力電圧の極性を１つずつ切り替えることにより全ての前記電源の出力電圧の極性を切り替える。
2017158842.tif 000002
【特許請求の範囲】
【請求項１】
複数の電極接続部が隣接する電極接続部間に抵抗を介して直列に接続された電極回路と、前記電極回路の両端及び少なくとも１つの中間位置にそれぞれ接続された、正負両極性の電圧を出力する電源とを有する電圧印加装置を用いて前記電極接続部に接続された電極に電圧を印加する方法であって、  a) 前記電極に所定の極性及び大きさの電圧が印加されるように、複数の前記電源のそれぞれの出力電圧の極性及び大きさを決定し、  b) 前記複数の電源の出力電圧の極性に基づき、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える  ことを特徴とする電圧印加方法。
【請求項２】
a) 複数の電極接続部が隣接電極接続部間に抵抗を介して直列に接続された電極回路と、  b) 前記電極回路の両端及び少なくとも１つの中間位置にそれぞれ接続された、正負両極性の電圧を出力する電源と、  c) 複数の前記電源の出力電圧の極性及び大きさに関する情報である出力電圧情報と、前記出力電圧情報に基づいて決められた、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える順番に関する情報である極性切替順情報が保存された記憶部と、  d) 前記複数の電源から前記出力電圧情報に基づく極性及び大きさの電圧を出力させ、所定のタイミングで前記極性切替順情報に基づいて前記複数の電源の出力電圧の極性を順に切り替える電源制御部と  を備えることを特徴とする電圧印加装置。
【請求項３】
前記複数の電源の出力電圧の極性を切り替える順番が、逆電流が流れる電源の延べ数が最小になる順番であることを特徴とする請求項２に記載の電圧印加装置。
【請求項４】
前記複数の電源のうちの一部の電源に該電源と並行に抵抗が接続されていることを特徴とする請求項２に記載の電圧印加装置。
【請求項５】
前記電源制御部が前記複数の電源の出力電圧の極性を切り替える間に逆電流が流れる電源に該電源と並行に抵抗が接続されていることを特徴とする請求項２に記載の電圧印加装置。
【請求項６】
請求項２に記載の電圧印加装置を有する飛行時間型質量分析装置。
【発明の詳細な説明】
【技術分野】
【０００１】  本発明は、複数の電源を用いて複数の電極に所定の電圧を印加する電圧印加技術に関する。特に、飛行時間型質量分析装置において、複数の電極にそれぞれ所定の電圧を印加し、イオンを飛行させるためのポテンシャルをイオン飛行空間に形成する際に好適に用いることができる電圧印加技術に関する。
【背景技術】
【０００２】  飛行時間型質量分析装置（Time-of-Flight Mass Spectrometer。以下、「ＴＯＦ−ＭＳ」とも呼ぶ。）では、質量分離部の入口に位置するイオン加速領域に進入した試料成分由来のイオンに一定の運動エネルギーを付与して一定距離の飛行空間を飛行させ、その飛行時間からイオンの質量電荷比を求める。【０００３】  飛行時間型質量分析装置においてイオンに運動エネルギーを付与する方式の１つに、直交加速（「垂直加速」や「直交引出し」等とも呼ばれる。）方式がある。直交加速方式のＴＯＦ−ＭＳでは、イオン加速領域（直交加速部）に進入したイオンを、その進入方向と直交する方向に加速して飛行空間に導入し、飛行させる。そのため、直交加速部に導入されるイオンの飛行速度（エネルギー）のばらつきに影響されることなく高い質量分解能でイオンを分析することができる（例えば特許文献１）。【０００４】  図１(a)に、直交加速方式のリフレクトロン型ＴＯＦ−ＭＳの質量分離部１００の概略構成の一例を示す。  質量分離部１００の前段（図の下方）から放出されたイオンは、直交加速電極１０２（対向配置された１組の電極１０２Ａ、１０２Ｂからなり、電極１０２Ｂはグリッド電極）のイオン加速領域に進入し、該進入方向と直交する方向（グリッド電極１０２Ｂの側）に加速される。グリッド電極１０２Ｂを通過したイオンは、さらにイオン軌道の両側に配置された加速電極（第２加速電極）１０３によって加速され、フライトチューブ１０４により外縁が規定された飛行空間に入射される。飛行空間に入射されたイオンは、リフレクトロン電極１０５とバックプレート１０６により形成される空間に入射すると徐々に減速し、飛行経路が折り返されて検出器１０７に入射する。【０００５】  直交加速電極１０２から飛行空間に向かうイオンを上記のような軌道で飛行させるために、第２加速電極１０３、フライトチューブ１０４、リフレクトロン電極１０５、及びバックプレート１０６に適宜の大きさの電圧を印加し、図１(b)に示すような、第２加速電極１０３からフライトチューブ１０４に向かって低くなり、フライトチューブ１０４からリフレクトロン電極１０５、バックプレート１０６に向かって高くなる勾配を持つポテンシャルを形成する。【０００６】  図２は、第２加速電極１０３、フライトチューブ１０４、リフレクトロン電極１０５、及びバックプレート１０６に電圧を印加するための電圧印加装置の電極回路の一例である。この電極回路は、両端の電源Ｐ１、Ｐ４の間に複数の抵抗を直列に接続し、各抵抗の間に電極接続部を設けるとともに、中間位置の２箇所にも各１個ずつの電源Ｐ２、Ｐ３を接続したものである。【０００７】  電源Ｐ１と電源Ｐ２の間には４個の電極接続部と３個の抵抗Ｒａが交互に配置されている。電源Ｐ１に近い側から３個の電極接続部には第２加速電極１０３が、電源Ｐ２に近い側にはフライトチューブ１０４が、それぞれ接続されている。  電源Ｐ２と電源Ｐ３の間には３個の電極接続部と２個の抵抗Ｒｃが交互に配置されており、該３個の電極接続部には前段側リフレクトロン電極１０５aが接続されている。  電源Ｐ３と電源Ｐ４の間には４個の抵抗Ｒｅと４個の電極接続部が交互に配置されている。電源Ｐ３に近い側から３個の電極接続部には後段側リフレクトロン電極１０５ｂが、電源Ｐ４に近い側にはバックプレート１０６が、それぞれ接続されている。  なお、電源Ｐ３は抵抗Ｒｄを介して電極回路に接続されている。【０００８】  上記電源Ｐ１〜Ｐ４からは、それぞれ、測定対象のイオンの極性に応じた極性（イオンと同極性又は逆極性）及び各部に形成するポテンシャルに応じた大きさの電圧を出力する。例えば、正イオンの分析時には、例えば、電源Ｐ１〜Ｐ４からそれぞれＶ１（例えば-3kV）、Ｖ２（例えば-7kV）、Ｖ３（例えば+2kV）、Ｖ４（例えば+2kV）の電圧を出力する（第１状態）。そして、負イオンの分析時には各電源Ｐ１〜Ｐ４の出力電圧の極性を反転する（第２状態）。ある試料について、該試料から生成される正イオンと負イオンを順に測定する場合には、まず第１状態で正イオンを測定し、続いて第２状態に切り替えて負イオンを測定する。
【先行技術文献】
【特許文献】
【０００９】
【特許文献１】国際公開第2012/132550号
【特許文献２】国際公開第2007/029327号
【発明の概要】
【発明が解決しようとする課題】
【００１０】  一般的には、電源を電極回路から切り離し又は出力電圧をニュートラルに移行してから出力電圧の極性を切り替える。これに対して、特許文献２には、電極回路に接続したままで出力電圧の極性を切り替えるようにした電源が記載されている。この電圧出力装置では、電極回路の遮断やニュートラルへの移行が不要であるため、出力電圧の極性の切り替え時間を短縮することができる。ところが、上述のように複数の電源Ｐ１〜Ｐ４を備える電圧印加装置において上記第１状態と第２状態を切り替える際に、電極回路に接続したままで電源Ｐ１〜Ｐ４の出力電圧の極性を順番に切り替えていくと、状態間の切り替えを完了するまでの間に、一部の電源に対して該電源の出力電圧の極性と反対向きの電流（逆電流）が流れ、その電源が破損することがあるという問題があった。【００１１】  ここでは、イオン飛行空間に所定のポテンシャルを形成するために複数の電極を用いる飛行時間型質量分析装置の電圧印加装置を例に挙げて説明したが、同様に複数の電極に複数の電源から電圧を印加する他の電圧印加装置においても上記同様の問題があった。【００１２】  本発明が解決しようとする課題は、複数の電源を用いて複数の電極に所定の電圧を印加する電圧印加装置において、電源の出力電圧の極性を切り替える際に電源に逆電流が流れるリスクを低減することである。
【課題を解決するための手段】
【００１３】  上記課題を解決するために成された本発明の第１の態様は、複数の電極接続部が隣接する電極接続部間に抵抗を介して直列に接続された電極回路と、前記電極回路の両端及び少なくとも１つの中間位置にそれぞれ接続された、正負両極性の電圧を出力する電源とを有する電圧印加装置を用いて前記電極接続部に接続された電極に電圧を印加する方法であって、  a) 前記電極に所定の極性及び大きさの電圧が印加されるように、複数の前記電源のそれぞれの出力電圧の極性及び大きさを決定し、  b) 前記複数の電源の出力電圧の極性に基づき、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える  ことを特徴とする。【００１４】  上記電圧印加装置において、複数の電源の出力電圧の極性を順に切り替える際にいずれかの電源に逆電流が流れるかどうかは、使用する抵抗の大きさ及び数、電源の数とその電源の接続位置、及び出力電圧の極性や大きさといった構成パラメータに依存する。しかし、全ての電源の出力電圧の極性が同じになると、それらの出力電圧の大きさに差がある場合、構成パラメータに関係なくいずれかの電源には必ず逆電流が流れる。本発明に係る電圧印加方法では、複数の電源のうち少なくとも１つの電源の出力電圧の極性が他と異なる状態が維持されており電流は主にこれら極性の異なる電源間を流れることになるため、電源に逆電流が流れる可能性を低減して電源の破損リスクを低減することができる。【００１５】  また、上記課題を解決するために成された本発明の第２の態様である電圧印加装置は、  a) 複数の電極接続部が隣接電極接続部間に抵抗を介して直列に接続された電極回路と、  b) 前記電極回路の両端及び少なくとも１つの中間位置にそれぞれ接続された、正負両極性の電圧を出力する電源と、  c) 複数の前記電源の出力電圧の極性及び大きさに関する情報である出力電圧情報と、前記出力電圧情報に基づいて決められた、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える順番に関する情報である極性切替順情報が保存された記憶部と、  d) 前記複数の電源から前記出力電圧情報に基づく極性及び大きさの電圧を出力させ、所定のタイミングで前記極性切替順情報に基づいて前記複数の電源の出力電圧の極性を順に切り替える電源制御部と  を備えることを特徴とする。【００１６】  前記所定のタイミングは、例えば飛行時間型質量分析装置において測定対象イオンの極性が切り替わるタイミングであり、この場合には測定を制御する測定制御部からの入力信号を受けて電源制御部が出力電圧の極性を切り替えるように構成することができる。【００１７】  前記複数の電源の出力電圧の極性を切り替える順番は、全通りの切り替え順のうち、逆電流が流れる電源の延べ数が最小になる順番であることが好ましい。前記逆電流が流れる電源の延べ数は、いずれかの電源に逆電流が流れる回数と、逆電流が流れる電源の数から定義することができる。例えば、全ての電源の出力���圧の極性の切り替えを終えるまでの１つの段階で２つの電源に逆電流が流れ、別の１つの段階で１つの電源に逆電流が流れる場合の述べ数は「３」となる。上述のとおり、逆電流が流れる可能性のある電源は構成パラメータに依存するため一律に規定することはできないものの、構成パラメータを決定した後にはシミュレーション等により決めることができる。【００１８】  本発明に係る電圧印加装置において理想的な状況は、複数の電源の出力電圧の極性を順に切り替える間、いずれの電源にも逆電流が流れないことである。しかし、例えばイオンの飛行空間にＶ字形状のポテンシャルを形成する場合のように、構成パラメータによっては少なくとも１つの電源に逆電流が流れる事が避けられない場合がある。【００１９】  そこで、本発明に係る電圧印加装置では、さらに、  前記電源制御部が前記複数の電源の出力電圧の極性を切り替える間に逆電流が流れる電源と並列に抵抗が接続されている  ことが好ましい。【００２０】  電源と並列に抵抗を設けると、抵抗がない場合に比べてその電源から流れる電流量が大きくなり、また逆電流が当該抵抗側の回路に向かいやすくなるため、該電源に逆電流が流れることを防止できる。
【発明の効果】
【００２１】  本発明に係る電圧印加技術を用いることにより、電圧印加装置の複数の電源の出力電圧の極性を切り替える際に、電源に逆電流が流れるリスクを低減することができる。
【図面の簡単な説明】
【００２２】
【図１】従来の飛行時間型質量分析装置のイオン飛行空間の概略構成図。
【図２】従来の飛行時間型質量分析装置における電極回路及び電源の構成図。
【図３】本発明に係る電圧印加装置を備えた飛行時間型質量分析装置の概略構成図。
【図４】本実施例における出力電圧情報及び極性切替順情報の例。
【図５】本実施例の飛行時間型質量分析装置における電極回路及び電源の構成図。
【図６】本実施例の飛行時間型質量分析装置のイオン飛行空間に形成されるポテンシャルを説明する図。
【図７】本実施例における出力電圧の極性切替順と電流の流れる方向を説明する図。
【図８】本実施例において使用可能な別の電極回路における抵抗の配置例を説明する図。
【図９】本実施例において使用可能な電極回路における抵抗の配置を任意の回路網として示した図。
【発明を実施するための形態】
【００２３】  本発明に係る電圧印加方法及び装置の一実施例について、以下図面を参照して説明する。本実施例の電圧印加方法及び装置は、直交加速部に配置した１組の電極に所定の周期でパルス電圧を印加することによりイオンを飛行空間に送出し、該飛行空間における飛行時間に基づきイオンの質量電荷比を決定する、直交加速方式の飛行時間型質量分析装置（ＴＯＦ−ＭＳ）において、イオンの飛行空間に後述のポテンシャルを形成するために用いられる。
【００２４】  図３に、本実施例のＴＯＦ−ＭＳ１の概略構成を示す。本実施例のＴＯＦ−ＭＳ１は、大別して質量分析部２、電圧印加部３、及びこれらの動作を制御する制御部４を有する。
【００２５】  質量分析部２は、略大気圧であるイオン化室２０と真空ポンプ（図示なし）により真空排気された高真空の分析室２４との間に、段階的に真空度が高められた第１中間室２１、第２中間室２２、及び第３中間室２３を備えた多段差動排気系の構成を有している。イオン化室２０には液体試料に電荷を付与しながら噴霧するエレクトロスプレイイオン化用プローブ（ＥＳＩプローブ）２０１が設置されている。
【００２６】  イオン化室２０と第１中間室２１は細径の加熱キャピラリ２０２を通して連通している。第１中間室２１と第２中間室２２は頂部に小孔を有するスキマー２１２で隔てられ、第１中間室２１と第２中間室２２にはそれぞれ、イオンを収束させつつ後段へ輸送するためのイオンガイド２１１、２２１が配置されている。第３中間室２３には、イオンを質量電荷比に応じて分離する四重極マスフィルタ２３１、多重極イオンガイド２３３を内部に備えたコリジョンセル２３２、及びコリジョンセル２３２から放出されたイオンを輸送するためのイオンガイド２３４が配置されている。コリジョンセル２３２の内部には、アルゴン、窒素などのＣＩＤガスが必要に応じて供給される。
【００２７】  第３中間室２３に位置するコリジョンセル２３２から放出されたイオンは、直交加速電極２４２（対向配置された１組の電極２４２Ａ、２４２Ｂからなり、電極２４２Ｂはグリッド電極）のイオン加速領域に進入し、該進入方向と直交する方向（グリッド電極２４２Ｂの側）に加速される。グリッド電極２４２Ｂを通過したイオンは、さらにイオン軌道の両側に配置された加速電極（第２加速電極）２４３によって加速されてイオン飛行空間に入射される。イオン飛行空間に入射されたイオンは、該空間内に形成された後述のポテンシャルにより、リフレクトロン電極２４４とバックプレート２４７からなる折り返し部に入射して徐々に減速し、飛行経路が折り返されて検出器２４５に入射する。
【００２８】  電圧印加部３は、質量分析部２の各部の電極に所定の電圧を印加するものであり、特に分析室２４のイオン飛行空間に配置された各電極に所定の電圧を印加する動作に特徴を有している。この動作については後述する。
【００２９】  制御部４は、記憶部４１を有するとともに、機能ブロックとして電源制御部４２及び測定実行部４３を備えている。制御部４の実体はパーソナルコンピュータであり、該コンピュータに予めインストールされたプログラムを実行することにより上記機能ブロックが動作する。また、制御部４には、入力部６、表示部７が接続されている。
【００３０】  記憶部４１には、電圧印加部３の電極回路に接続されている各電源から出力する電圧の極性及び大きさに関する出力電圧情報と、該出力電圧情報に基づいて決められた各電源の極性切替に関する極性切替順情報が保存されている。本実施例では、図４に示す出力電圧情報及び極性切替順情報が保存されている。また、使用者により作成される測定条件や該測定条件を用いることにより得られる測定結果が適宜に保存される。
【００３１】  次に、電圧印加部３のうち、本実施例において特徴的な構成及び動作を説明する。
【００３２】  図５は、第２加速電極２４３、フライトチューブ２４６、リフレクトロン電極２４４Ａ、２４４Ｂ、及びバックプレート２４７に電圧を印加するための電極回路である。図５に示す各構成要素と制御部４が、本発明に係る電圧印加装置に対応する。
【００３３】  電源Ｐ１と電源Ｐ２の間には４個の電極接続部と３個の抵抗Ｒ１（合計抵抗200MΩ）が交互に配置されている。電源Ｐ１に近い側から３個の電極接続部には第２加速電極２４３が、電源Ｐ２に近い側にはフライトチューブ２４６が、それぞれ接続されている。  電源Ｐ２と電源Ｐ３の間には３個の電極接続部と２個の抵抗Ｒ３（合計抵抗900MΩ）が交互に配置されており、該３個の電極接続部には前段側リフレクトロン電極２４４Ａが接続されている。  電源Ｐ３と電源Ｐ４の間には４個の抵抗Ｒ５（合計抵抗700MΩ）と４個の電極接続部が交互に配置されている。電源Ｐ３に近い側から３個の電極接続部には後段側リフレクトロン電極２４４Ｂが、電源Ｐ４に近い側にはバックプレート２４７が、それぞれ接続されている。  なお、電源Ｐ１には該電源Ｐ１と並列に100MΩの抵抗Ｒ１０が接続されており、電源Ｐ３は700MΩの抵抗Ｒ４を介して電極回路に接続されている。
【００３４】  ここで、まず正イオンを測定し、続いて負イオンを測定する場合を例に挙げて、本実施例の電圧印加装置の動作を説明する。ただし、本実施例において特徴的な電圧印加装置の動作についてのみ詳しく説明し、他の動作は説明を省略する。
【００３５】  使用者が入力部６を通じて測定開始を指示すると、測定実行部４３は記憶部４１から測定条件（出力電圧印加情報及び極性切替順情報を含む）を読み出し、各部を測定状態に移行させるとともに、電源制御部４２に出力電圧印加情報及び極性切り替え情報を送信する。電源制御部４２は電源Ｐ１〜Ｐ４から-3kV、-7kV、+2kV、+2kVの電圧を出力させる。これにより、イオン飛行空間には図６に示すポテンシャルが形成される。
【００３６】  所定時間、正イオンを測定した後、測定実行部４３は測定対象イオンを負イオンに切り替えるとともに電源制御部４２に同期信号を送信する。電源制御部４２は、これを受け、極性切替順情報に基づいて電源Ｐ１〜Ｐ４の出力電圧の極性を１つずつ切り替える。本実施例では、図７(a)に示すように、電源Ｐ３、Ｐ１、Ｐ２、Ｐ４の順に１つずつ出力電圧の極性が切り替えられる。図７(a)から分かるように、本実施例では、測定対象イオンの極性に応じて電源Ｐ１〜Ｐ４の出力電圧の極性を順次切り替える際、いずれの電源にも逆電流が流れないように予め決められた極性切替順が作成され記憶部４１に保存されている。
【００３７】  図７(b)に示す比較例のように、電源Ｐ１〜Ｐ４の順に出力電圧の極性を切り替えると、電源Ｐ２の出力電圧の極性を切り替えた時点で全ての電源からの出力電圧が同一極性になる。このように全ての出力電圧の極性が同じになると、電極回路の構成に関係なく少なくとも１つの電源に逆電流が流れてしまい電源が破損するリスクがあった。図７(b)に示す例では、電源Ｐ２の出力電圧を切り替えた時点で電源Ｐ３及びＰ４に、また電源Ｐ３の出力電圧の極性を切り替えた時点で電源Ｐ４に逆電流が流れてしまう。
【００３８】  これに対し、本実施例のＴＯＦ−ＭＳ１では、測定対象イオンの切替時に電源Ｐ１〜Ｐ４の出力電圧の極性を切り替える際、いずれの電源にも逆電流が流れないように構成されているため、電源の破損を防止することができる。
【００３９】  本実施例のようにイオン飛行空間にＶ字状のポテンシャルを形成する場合、電源Ｐ１についてはイオンの測定中に逆電流が流れてしまうことが避けられないため、該電源Ｐ１と並列に抵抗Ｒ１０を接続している。これにより電源Ｐ１から出力する電流を大きくする必要が生じるものの、並列抵抗を接続した回路側に電流を流すことで電源Ｐ１に逆電流が流れるのを防止することができる。
【００４０】  上記実施例は一例であって、本発明の趣旨に沿って適宜に変更することができる。上記実施例における具体的な数値や電源及び抵抗の配置は１つの具体例に過ぎず、各電極に印加される電圧値を決定する抵抗回路網として任意の構成を採ることができる。例えば、図８（電極の図示略）に示すように各電極間を抵抗で接続し、これらの抵抗値と各電源（Ｐ１〜Ｐ４）からの出力電圧を設定することにより、イオンの飛行に適した適宜のポテンシャルを形成することができる。
【００４１】  また、図９（電極の図示略）に示すように、所望の機能を実現しつつ使用する抵抗の数を最小化した、任意の回路網Ｚを用いることもできる。一般に、ＴＯＦ−ＭＳではppmオーダーの高い質量精度が求められるため、飛行空間に配置される電極に接続される抵抗として、高耐電圧特性を有し、かつ高精度である高価な抵抗を用いる必要がある。図９に示すような任意の回路網Ｚを必要最小限の抵抗の数で構成することにより、抵抗に係るコストを抑えつつ所望のポテンシャルをイオン飛行空間に形成することができる。
【００４２】  本発明に係る電圧印加装置は、ＴＯＦ−ＭＳ以外の装置においても同様に用いることもできる。  上記実施例では電源Ｐ１に逆電流が流れることが避けられないため並列抵抗を用いたが、電極回路の構成と電源の配置及び出力電圧によってはいずれの電源にも逆電流が流れないように出力電圧の極性の切替順を決定することができる場合もある。こうした場合にはいずれの電源にも並列抵抗を設ける必要がない。
【００４３】  あるいは、逆に全ての電源Ｐ１〜Ｐ４（Ｐｎ）に並列抵抗Ｒ１０〜Ｒ４０（Ｒｎ）を設けるようにしてもよい。これにより、電源制御部４２が誤作動したり、記憶部４１に保存されている極性切替順情報に誤りがあったりする場合でも各電源Ｐ１〜Ｐ４に逆電流が流れるのを防ぐことができる。また、各電源Ｐ１〜Ｐ４に並列抵抗が接続されることで各電源Ｐ１〜Ｐ４のそれぞれが流す電流量が安定したり、放電のリスクを回避できたりするという効果も得られる。
【００４４】  なお、電源Ｐｎに並列抵抗Ｒｎを設ける際、抵抗Ｒｎが小さいとＰｎから定常的に流れる電流が大きくなり逆電流のリスクは低下するが、その一方、電源Ｐｎの容量を大きくする必要があるため大型化、コストアップ、あるいは消費電力の増大といった問題が生じる。従って、Ｒｎはできるだけ大きくすることが望ましい。理想的には各電源Ｐ１〜Ｐ４の出力インピーダンスは0であり、各電源Ｐ１〜Ｐ４の出力電流と同じだけの電流が流れるような大きさの抵抗Ｒｎを用いれば電源Ｐ１〜Ｐ４に逆電流が流れることはない。着目する１つの電源Ｐｎ以外の全ての電源が着目電源Ｐｎに流す逆電流の最大値をIn_inv-maxとするとＲｎの最大値はVn/In_inv-maxで求められる。ただし、実際の電源には出力インピーダンスが存在するため、抵抗Ｒｎの値は理想電源として計算した値よりも多少大きくすることができる。
【符号の説明】
【００４５】１…飛行時間型質量分析装置（ＴＯＦ−ＭＳ）２…質量分析部  ２０…イオン化室  ２１…第１中間室  ２２…第２中間室  ２３…第３中間室  ２４…分析室    ２４１…イオン輸送電極    ２４２…直交加速電極（第１加速電極）    ２４３…第２加速電極    ２４４…リフレクトロン電極    ２４５…検出器    ２４６…フライトチューブ    ２４７…バックプレート３…電圧印加部４…制御部  ４１…記憶部  ４２…電源制御部  ４３…測定実行部６…入力部７…表示部Ｐ…電源Ｒ…抵抗
【図１】
2017158842.tif 000003
【図２】
2017158842.tif 000004
【図３】
2017158842.tif 000005
【図４】
2017158842.tif 000006
【図５】
2017158842.tif 000007
【図６】
2017158842.tif 000008
【図７】
2017158842.tif 000009
【図８】
2017158842.tif 000010
【図９】
2017158842.tif 000011
【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
複数の電極接続部が隣接する電極接続部間に抵抗を介して直列に接続された電極回路と、前記電極回路の両端及び少なくとも１つの中間位置にそれぞれ接続された、正負両極性の電圧を出力する電源とを有する電圧印加装置を用いて前記電極接続部に接続された電極に電圧を印加する方法であって、
a) 前記電極に所定の極性及び大きさの電圧が印加されるように、複数の前記電源のそれぞれの出力電圧の極性及び大きさを決定し、
b) 前記複数の電源の出力電圧の極性に基づき、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える
ことを特徴とする電圧印加方法。
【請求項２】
a) 複数の電極接続部が隣接する電極接続部間に抵抗を介して直列に接続された電極回路と、
b) 前記電極回路の両端及び少なくとも１つの中間位置にそれぞれ接続された、正負両極性の電圧を出力する電源と、
c) 複数の前記電源の出力電圧の極性及び大きさに関する情報である出力電圧情報と、前記出力電圧情報に基づいて決められた、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える順番に関する情報である極性切替順情報が保存された記憶部と、
d) 前記複数の電源から前記出力電圧情報に基づく極性及び大きさの電圧を出力させ、所定のタイミングで前記極性切替順情報に基づいて前記複数の電源の出力電圧の極性を順に切り替える電源制御部と
を備えることを特徴とする電圧印加装置。
【請求項３】
前記複数の電源の出力電圧の極性を切り替える順番が、逆電流が流れる電源の延べ数が最小になる順番であることを特徴とする請求項２に記載の電圧印加装置。
【請求項４】
前記複数の電源のうちの一部の電源に該電源と並行に抵抗が接続されていることを特徴とする請求項２に記載の電圧印加装置。
【請求項５】
前記電源制御部が前記複数の電源の出力電圧の極性を切り替える間に逆電流が流れる電源に該電源と並行に抵抗が接続されていることを特徴とする請求項２に記載の電圧印加装置。
【請求項６】
請求項２に記載の電圧印加装置を有する飛行時間型質量分析装置。
【手続補正２】
【補正対象書類名】明細書
【補正対象項目名】００１５
【補正方法】変更
【補正の内容】
【００１５】
また、上記課題を解決するために成された本発明の第２の態様である電圧印加装置は、
a) 複数の電極接続部が隣接する電極接続部間に抵抗を介して直列に接続された電極回路と、
b) 前記電極回路の両端及び少なくとも１つの中間位置にそれぞれ接続された、正負両極性の電圧を出力する電源と、
c) 複数の前記電源の出力電圧の極性及び大きさに関する情報である出力電圧情報と、前記出力電圧情報に基づいて決められた、該複数の電源のうち少なくとも１つの電源の出力電圧の極性が他と異なる状態を維持して前記複数の電源の出力電圧の極性を１つずつ切り替えることにより全ての前記電源の出力電圧の極性を切り替える順番に関する情報である極性切替順情報が保存された記憶部と、
d) 前記複数の電源から前記出力電圧情報に基づく極性及び大きさの電圧を出力させ、所定のタイミングで前記極性切替順情報に基づいて前記複数の電源の出力電圧の極性を順に切り替える電源制御部と
を備えることを特徴とする。
【国際調査報告】
2017158842.tif 000012
2017158842.tif 000013
2017158842.tif 000014
2017158842.tif 000015